(57)【特許請求の範囲】
【請求項１】
換気扇を備えたキッチンに設置されたキッチンカウンタにおいて、ＩＨ調理器をビルトインしたカウンタ部と、該カウンタ部の前端部に垂下するとともに、上記ＩＨ調理器の前面を覆うエプロン部とからなり、該エプロン部には給気口が設けられ、上記ＩＨ調理器をビルトインしたカウンタ部の上面後端部に排気口が設けられ、上記換気扇によって誘引された空気が上記エプロン部に設けられた給気口から吸気されてＩＨ調理器に接触し、上記排気口から排出される調理器具カウンタ。
【請求項２】
上記給気口がエプロン部の下部に複数の長孔が並設されてなる請求項１に記載の調理具カウンタ。
【発明の詳細な説明】
【技術分野】
【０００１】
本発明は、キッチンカウンタに関する。さらに詳しくは、電磁誘導式（ＩＨ）調理器を備えた調理器具カウンタに関する。
【背景技術】
【０００２】
従来、家庭用の調理器はガス調理器が主流であったが、立ち消えの心配がないことや、炎が出ないので高齢者でも安全に使える等の理由で、近年ＩＨ調理器が普及しつつある。しかし、ＩＨ調理器をビルトインして用いる場合、ＩＨ調理器自体の発熱を除去することが必要であり、本願図３に示すように、公知のキッチンカウンタＢにおいては、ＩＨ調理器４の冷却は、カウンタ６に設けられた桟部７とキャビネットの扉８との隙間９ａから流入し、カウンタ６とＩＨ調理器４の後部との隙間９ｂから排出する空気によって行われていた。
【０００３】
すなわち、キッチンに備えられた図示しない換気扇によって誘引され、上記隙間９ａから流入した空気は、図３に矢印で示すように、加熱部４１を有するＩＨ調理器４の側面および下面と接触しながら流れて上記隙間９ｂから排気され、この空気流によってＩＨ調理器４が冷却されていた。一方、ガス調理器の場合は、例えば、下記特許文献１の第２図に示されているように、キャビネットの前面に設けられた排気口から燃焼排ガス、調理により発生する水蒸気等を排気する技術が知られている。
【特許文献１】実公平７−３４６０４号公報（第１〜２頁、第２図）
【発明の開示】
【発明が解決しようとする課題】
【０００４】
しかしながら、本願図３に示すように、カウンタの桟部と扉との間に隙間を設け、その隙間を給気空間とするためには扉の取付け誤差を少なくし、扉エッジの形状を一定とする等、厳密な隙間調整を行う必要があり、作業性が悪く、また、必ずしも、十分にＩＨ調理器を冷却できないという問題がある。本発明はこのような問題を解決するためになされたものであって、一定の大きさの給気口を簡単に設け、ＩＨ調理器の発熱を除くための空気を十分に流して冷却できる調理器具カウンタを提供することを、その課題とする。
【課題を解決するための手段】
【０００５】
上記課題を解決するために、本発明においては、つぎのような技術的手段を講じている。すなわち、請求項１に記載の発明によれば、換気扇を備えたキッチンに設置されたキッチンカウンタにおいて、ＩＨ調理器をビルトインしたカウンタ部と、該カウンタ部の前端部に垂下するとともに、上記ＩＨ調理器の前面を覆うエプロン部とからなり、該エプロン部には給気口が設けられ、上記ＩＨ調理器をビルトインしたカウンタ部の上面後端部に排気口が設けられ、上記換気扇によって誘引された空気が上記エプロン部に設けられた給気口から吸気されてＩＨ調理器に接触し、上記排気口から排出される調理器具カウンタが提供される。
【０００７】
請求項２に記載の調理器具カウンタは、請求項１に記載の発明に加えて、上記給気口がエプロン部の下部に複数の長孔が並設されてなることが好ましい。 
【発明の効果】
【０００８】
請求項１に記載の発明にかかる調理器具カウンタは上記のとおりであり、ＩＨ調理器をビルトインしたカウンタ部と、その前端部に垂下するとともに、上記ＩＨ調理器の前面を覆うエプロン部とからなり、該エプロン部に給気口を設けているため、キッチンに備えられた換気扇によって誘引される空気が上記給気口からＩＨ調理器の側面および下面と接触しながら流れ、この空気流によってＩＨ調理器自体の発熱を除去することができる。
【０００９】
更に、上記ＩＨ調理器をビルトインしたカウンタ部の後端部に排気口が設けられているため、上記給気口からの空気がキッチンに備えられた換気扇によって容易に誘引され、十分な量の空気がＩＨ調理器の側面および下面と接触しながら上記排気口から排出され、その結果、ＩＨ調理器を効率よく冷却することができる。
【００１０】
請求項２に記載の調理器具カウンタは上記のとおりであり、請求項１の調理器具カウンタの有する効果に加え、上記給気口がエプロン部の下部に複数の長孔が並設されてなるため、誘引された空気は底面積の大きなＩＨ調理器の下面との接触が容易となり、より多くの熱を除去しＩＨ調理器をさらに効率よく冷却することができる。
【発明を実施するための最良の形態】
【００１１】
以下、本発明の実施形態について図面を参照して、詳細に説明する。図１は本発明にかかる調理器具カウンタＡの構成を示す側断面図であり、図２は、部分断面斜視図である。図１、図２に示すように、上記調理器具カウンタＡは、カウンタトップにＩＨ調理器４がビルトインされたカウンタ部１と、このカウンタ部１の前端部に垂下するとともに、ＩＨ調理器４の前面を覆うエプロン部３とからなり、エプロン部３には３個の長孔２からなる給気口が設けられている。また、上記ＩＨ調理器４は加熱部４１を備え、上記カウンタ部１の後端部には排気口５が設けられている。さらに、キッチン全体は図示しない換気扇によって換気されている。
【００１２】
つぎに、本発明の調理器具カウンタＡの作用、効果について説明する。図外換気扇によって誘引された空気は、エプロン部３の下部に設けられた３個の長孔２から給気され、図１に矢印で示すように、ＩＨ調理器４の側面および下面と接触しながら流れ、ＩＨ調理器４の発熱を除去しながら排気口５から排出される。このとき、図１に示されているように、長孔２は、エプロン部３の下部に並設されているため、誘引された空気は底面積の大きなＩＨ調理器４の下面と容易に接触し、効率よくＩＨ調理器４の熱を除去して冷却することができる。
【００１３】
なお、上記長孔２は３個に限定されず、また、設ける位置もエプロン部３の下部に限定されるものではなく、ＩＨ調理器４の発熱容量、仕様等によって変更可能である。このように、本発明にかかる調理器具カウンタＡは種々設計変更自在であり、特許請求の範囲を逸脱しない限り、いずれも本発明の技術的範囲に含まれる。
【図面の簡単な説明】
【００１４】
【図１】本発明にかかる調理器具カウンタの構成を示す側断面図である。
【図２】本発明にかかる調理器具カウンタを示す部分断面斜視図である。
【図３】公知のキッチンカウンタを示す側断面図である。
【符号の説明】
【００１５】
Ａ          本発明にかかる調理器具カウンタ
１          カウンタ部
２          長孔
３          エプロン部
４          ＩＨ調理器
４１        加熱部
５          排気口
Ｂ          公知のキッチンカウンタ
６          カウンタ
７          桟部
８          キャビネットの扉
９ａ        桟部とキャビネットの扉との隙間
９ｂ        カウンタとＩＨ調理器の後部との隙間
【図１】
0004692241.tif 000002
【図２】
0004692241.tif 000003
【図３】
0004692241.tif 000004